(57)【特許請求の範囲】
【請求項１】
ガス通路内を通過するガス流量に対応して定期的に流量信号を出力する流量検出部と、前記流量検出部の前記流量信号に基づいて流量を算出する流量算出部と、前記流量算出部の前記流量を用いて前回あるいは前々回取得した前記流量の値と今回取得した前記流量とを比較し、変化があれば変化量を出力する増減算出部と、区分された流量帯毎に使用許可時間を定めた流量帯区分表と、前記変化量が増加量であれば新たなガス器具の使用を開始したとして前記変化量を追加して保持し、減少量であればガス器具の使用を停止したとして保持している中で一番近しい変化量を削除しながら複数の変化量を管理し、保持している前記複数の変化量の内の最大変化量と、前記流量帯区分表において前記最大変化量が属する流量帯の使用許可時間と、前記使用許可時間から所定時間を差し引いた予告時間とを出力する増減判定部と、前記使用許可時間を受け取ると使用時間の計時を開始し、前記使用時間が前記予告時間に至れば予告信号を出力し、さらに前記使用許可時間に至れば弁駆動信号を出力する計時部と、前記最大変化量を受け取ると前記流量算出部の流量を取得して基準値とし、前記基準値と定期的に出力される前記流量算出部の流量との差分を求め、前記差分が増加方向で、かつ前記差分と前記最大変化量との和が前記流量帯の境界流量を跨いだ場合は、跨いだ後の流量帯に基づく使用許可時間から所定時間を差し引いた時間を予告時間に変更する流量帯変化判定部と、前記弁駆動信号を受け取ると閉栓信号を出力する弁駆動部と、前記閉栓信号を受け取るとガス通路を閉栓する弁と、前記予告信号を用いて警報報知する報知部とを備えたことを特徴としたガス遮断装置。
【請求項２】
ガス通路内を通過するガス流量に対応して定期的に流量信号を出力する流量検出部と、前記流量検出部の前記流量信号に基づいて流量を算出する流量算出部と、区分された流量帯毎に使用許可時間を定めた流量帯区分表と、前記流量算出部の前記流量を用いて前回あるいは前々回取得した前記流量の値と今回取得した前記流量とを比較し、変化があれば変化量を出力する増減算出部と、前記変化量が増加量であれば新たなガス器具の使用を開始したとして前記変化量を追加して保持し、減少量であればガス器具の使用を停止したとして保持している中で一番近しい変化量を削除しながら複数の変化量を管理し、保持している前記複数の変化量の内の最大変化量と、前記流量帯区分表において前記最大変化量が属する流量帯の使用許可時間と、前記使用許可時間から所定時間を差し引いた予告時間とを出力する増減判定部と、前記使用許可時間を受け取ると使用時間の計時を開始し、前記使用時間が前記予告時間に至れば予告信号を出力し、さらに前記使用許可時間に至れば弁駆動信号を出力する計時部と、前記最大変化量を受け取ると前記流量算出部の流量を取得して基準値とし、前記基準値と定期的に出力される前記流量算出部の流量との差分を求め、前記差分が減少方向で、かつ前記差分と前記最大変化量との和が前記流量帯の境界流量を跨いだ場合は、跨いだ後の流量帯に基づく使用許可時間を新たな使用許可時間に変更する流量帯変化判定部と、前記弁駆動信号を受け取ると閉栓信号を出力する弁駆動部と、前記閉栓信号を受け取るとガス通路を閉栓する弁と、前記予告信号を用いて警報報知する報知部とを備えたことを特徴としたガス遮断装置。
【請求項３】
ガス通路内を通過するガス流量に対応して定期的に流量信号を出力する流量検出部と、前記流量検出部の前記流量信号に基づいて流量を算出する流量算出部と、前記流量算出部の前記流量を用いて前回あるいは前々回取得した前記流量の値と今回取得した前記流量とを比較し、変化があれば変化量を出力する増減算出部と、区分された流量帯毎に使用許可時間を定めた流量帯区分表と、前記変化量が増加量であれば新たなガス器具の使用を開始したとして前記変化量を追加して保持し、減少量であればガス器具の使用を停止したとして保持している中で一番近しい変化量を削除しながら複数の変化量を管理し、保持している前記複数の変化量の内の最大変化量と、前記流量帯区分表において前記最大変化量が属する流量帯の使用許可時間と、前記使用許可時間から所定時間を差し引いた予告時間とを出力する増減判定部と、前記使用許可時間を受け取ると使用時間の計時を開始し、前記使用
時間が前記予告時間に至れば予告信号を出力し、さらに前記使用許可時間に至れば弁駆動信号を出力する計時部と、前記最大変化量を受け取ると前記流量算出部の流量を取得して基準値とし、前記基準値と定期的に出力される前記流量算出部の流量との差分を求め、前記差分が増加方向で、かつ前記差分と前記最大変化量との和が前記流量帯の境界流量を跨いだ場合は、跨いだ後の流量帯に基づく使用許可時間から所定時間を差し引いた時間を予告時間に変更し、前記差分が減少方向で、かつ前記差分と前記最大変化量との和が前記流量帯の境界流量を跨いだ場合は、跨いだ後の流量帯に基づく使用許可時間を新たな使用許可時間に変更する流量帯変化判定部と、前記弁駆動信号を受け取ると閉栓信号を出力する弁駆動部と、前記閉栓信号を受け取るとガス通路を閉栓する弁と、前記予告信号を用いて警報報知する報知部とを備えたことを特徴としたガス遮断装置。
【請求項４】
最大変化量と差分の和が流量帯区分表の境界流量を跨いで流量帯区分が変更された後、再び跨ぐ前の流量帯区分に戻る場合には、判定した前記境界流量にヒステリシスを設けることでハンチングを防止する請求項３記載のガス遮断装置。
【請求項５】
最大変化量と差分の和が流量帯区分表の境界流量を跨いだと判定した後、所定時間跨いだ後の流量帯であれば予告時間または使用許可時間を変更することを特徴とする請求項１〜４のいずれか１項に記載のガス遮断装置。
【発明の詳細な説明】
【技術分野】
【０００１】
本発明はガス遮断装置の流量監視機能を向上させるものである。
【背景技術】
【０００２】
従来、この種のガス遮断装置は、特許文献１に記載するような構成としてに記載されている。
【０００３】
図６は、本発明との比較をし易くするために、特許文献１に記載された従来のガス遮断装置をブロック図で示したものである。
【０００４】
図６に示すように、従来のガス遮断装置は流量検出部１、流量算出部２、増減算出部３、増減判定部４、計時部５、弁駆動部６、弁７、報知部８から構成され、以下にその役割を記載する。
【０００５】
流量検出部１ではガス通路内を通過するガス流量に対応して流量信号ａを出力すし、流量算出部２では流量検出部１の流量信号ａを用いて流量ｂを算出する。
【０００６】
増減算出部３では流量算出部２の流量ｂを用いて前々回取得した流量ｂの値と今回取得した流量ｂとを比較し、３％以上の流量変化があれば変化量ｃを出力し、３％以上の流量変化がなければ保持している複数の変化量ｃの和と最新の流量ｂの差が一定流量でかつ保持している複数の変化量ｃの和が最新の流量ｂよりも大きければ補正信号ｍを出力する。
【０００７】
増減判定部４では増減算出部３が出力した変化量ｃが増加量であれば新たなガス器具の使用を開始したとして変化量ｃを追加して保持し、減少量であればガス器具の使用を停止したとして保持している中で一番近しい変化量ｃを削除しながら複数の変化量ｃを管理し、複数保持している変化量ｃを大きなものから順番にならべ直し、ならべ直したあと保持している変化量ｃの一番大きな最大変化量が属する流量帯に基づく使用許可時間ｄを抽出して、使用許可時間ｄから予め保持している所定時間を差し引いた予告時間ｅを算出し、使用許可時間ｄと予告時間ｅを出力し、増減算出部３が出力した補正信号ｍがあれば流量算出部の最新の流量ｂを取得し、保持している複数の変化量ｃの和から最新の流量ｂを引いた差分値を求め、さらに最大変化量から差分値を引いたものを新たな最大変化量とし保持し、新たな最大変化量に基づいた使用許可時間ｄと予告時間ｅを求め出力する。
【０００８】
計時部５では増減判定部４の使用許可時間ｄを受け取ると使用時間の計時を開始し、増減判定部４から新たな使用許可時間ｄを取得する前に、使用時間が増減判定部４の予告時間ｅに至れば予告信号ｆを出力し、さらに使用時間が増減判定部４の使用許可時間ｄに至れば弁駆動信号ｇを出力する。
【０００９】
弁駆動部６では計時部５の弁駆動信号ｇを受け取ると閉栓信号ｈを出力し、弁７では弁駆動部６の閉栓信号ｈを受け取るとガス通路を閉栓する。
【００１０】
更に、報知部８では計時部５の予告信号ｆを受け取ると外部機器であるガス漏れ警報器９に警報予告信号ｎを出力するように構成されている。
【先行技術文献】
【特許文献】
【００１１】
【特許文献１】特開２００９−３０９７６号公報
【発明の概要】
【発明が解決しようとする課題】
【００１２】
しかしながら、前記従来の構成では、以下の様な課題があった。
【００１３】
図７（ａ）はガス遮断装置が予め保持している流量帯と使用許可時間ｄの対応を表した流量帯区分表の一例である。例えば、従来の構成のガス遮断装置が保持している変化量が１つの場合、すなわち最大変化量（変化量１）のみでその保持値が４０３Ｌ／ｈとすると図７（ａ）より変化量１は４０３Ｌ／ｈなので流量帯はｎとなる。そして変化量ｃの和は４０３Ｌ／ｈなので、その３％は１２．０９Ｌ／ｈとなり、前々回の流量ｂと今回の流量ｂの差が１２．０９Ｌ／ｈ以上なければ流量変化有とはならない。このため図７（ｂ）に示すように流量ｂが徐々に減っていき流量変化有とならなければ、４０３Ｌ／ｈ−２１Ｌ／ｈの３８２Ｌ／ｈに至るまで補正が働かないこととなる（従来例では、実施の形態で第２判定基準の一定流量は２１Ｌ／ｈと記載されている。仮にこの値が２１Ｌ／ｈではなく１Ｌ／ｈとしても同様の隙間ができる現象が発生することとなる）。このため、流量ｂが流量帯の境界（一点破線で示した４００Ｌ／ｈ）を越えたにも係わらず３９９Ｌ／ｈから３８３Ｌ／ｈまでは補正が働かない未対応領域となり、従来例で解決しようとしていた新たな流量帯に基づく監視ができないと言う課題を有していた。
【００１４】
あるいは、従来の構成のガス遮断装置が保持している変化量ｃが２つ以上の場合、例えば、最大変化量（変化量１）の保持値が４２０Ｌ／ｈで２番目に大きな変化量ｃが４０５Ｌ／ｈで、２つの変化量が同じ流量帯であったとする。この時、図７（ｂ）と同様に流量ｂが徐々に減っていき流量変化有とならなければ、変化量ｃの和は８２５Ｌ／ｈなので今回の流量ｂが８０４Ｌ／ｈ時点（第２判定基準の一定流量が２１Ｌ／ｈの場合）で補正処理が実施され、最大変化量である変化量１は４２０Ｌ／ｈ−（８２５Ｌ／ｈ−８０４Ｌ／ｈ）＝３９９Ｌ／ｈとなり、補正処理後の最大変化量は変化量１を３９９Ｌ／ｈに置き換えることになるため、変化量１は流量帯ｎ−１に属することとなる。
【００１５】
よって、使用許可時間ｄは図７（ａ）より流量帯ｎの６０分から流量帯ｎ−１の８０分に変更されることになる。つまり、補正処理前は図７（ａ）より変化量１も変化量２も同じ流量帯ｎに属しており矛盾は発生しなかったが、補正処理後の変化量２は４０５Ｌ／ｈのままなので補正処理後の変化量１よりも大きな値となり、この変化量２に基づき使用許可時間ｄが６０分とならなければならないが、補正処理により８０分に変更されるため矛盾が発生する（従来例では、実施の形態で第２判定基準の一定流量は２１Ｌ／ｈと記載されている。仮にこの値が２１Ｌ／ｈではなく１Ｌ／ｈでも変化量１と変化量２が同値の４００Ｌ／ｈであれば同様の矛盾が発生することとなる）と言う課題を有していた。
【００１６】
本発明は、前記従来の課題を解決するもので、定期的に計測される流量と基準値との差分を元に最大変化量を補正して、流量帯を判断することにより、使用許可時間を変更したり、予告時間を変更することで、安全が担保できるタイミングでガス遮断装置を監視しているガス供給者が異常なガスの使われ方をしていないかの注意喚起を行えることを目的とする。
【課題を解決するための手段】
【００１７】
前記従来の課題を解決するために、本発明のガス遮断装置は、ガス通路内を通過するガス流量に対応して定期的に流量信号を出力する流量検出部と、前記流量検出部の前記流量信号に基づいて流量を算出する流量算出部と、前記流量算出部の前記流量を用いて前回あるいは前々回取得した前記流量の値と今回取得した前記流量とを比較し、変化があれば変化量を出力する増減算出部と、区分された流量帯毎に使用許可時間を定めた流量帯区分表と、前記変化量が増加量であれば新たなガス器具の使用を開始したとして前記変化量を追
加して保持し、減少量であればガス器具の使用を停止したとして保持している中で一番近しい変化量を削除しながら複数の変化量を管理し、保持している前記複数の変化量の内の最大変化量と、前記流量帯区分表において前記最大変化量が属する流量帯の使用許可時間と、前記使用許可時間から所定時間を差し引いた予告時間とを出力する増減判定部と、前記使用許可時間を受け取ると使用時間の計時を開始し、前記使用時間が前記予告時間に至れば予告信号を出力し、さらに前記使用許可時間に至れば弁駆動信号を出力する計時部と、前記最大変化量を受け取ると前記流量算出部の流量を取得して基準値とし、前記基準値と定期的に出力される前記流量算出部の流量との差分を求め、前記差分が増加方向で、かつ前記差分と前記最大変化量との和が前記流量帯の境界流量を跨いだ場合は、跨いだ後の流量帯に基づく使用許可時間から所定時間を差し引いた時間を予告時間に変更する流量帯変化判定部と、前記弁駆動信号を受け取ると閉栓信号を出力する弁駆動部と、前記閉栓信号を受け取るとガス通路を閉栓する弁と、前記予告信号を用いて警報報知する報知部とを備えたことを特徴とするもので、ガス遮断装置が変化量として検出できず管理できていない微少な流量変動を監視することができ、流量変化有による明確なガス器具の点火や消火、あるいはガス器具流量の調整に基づき管理している複数の変化量を変更することなく使用許可時間や予告時間を調整することができる。
【発明の効果】
【００１８】
本発明のガス遮断装置は流量帯近辺の流量が出現し最大変化量として登録され、その後例えば、ガスファンヒーター等の自動温度調整によるガスの微少な増加減少によりガスの使用量が変化しても、流量帯を跨ぐとすぐに補正が行えるようになるため未対応領域はなくなり、かつ安全が担保できるタイミングで注意喚起を行うことができる。
【図面の簡単な説明】
【００１９】
【図１】本発明の実施の形態１におけるガス遮断装置の機能ブロック図
【図２】本発明の実施の形態１におけるプログラムフロー図
【図３】（ａ）本発明の実施の形態１における流量帯と使用許可時間の関係を示す図、（ｂ）流量増加時の補正処理を説明する為の図、（ｃ）流量減少時の補正処理を説明する為の図
【図４】本発明の実施の形態１におけるヒステリシス処理を説明する図
【図５】本発明の実施の形態１における時間変更の遅延処理を説明する図
【図６】従来のガス遮断装置の機能ブロック図
【図７】（ａ）従来のガス遮断装置における流量帯と使用許可時間の関係を示す図、（ｂ）同ガス遮断装置の流量減少時の補正処理を説明する為の図
【発明を実施するための形態】
【００２０】
第１の発明は、ガス通路内を通過するガス流量に対応して定期的に流量信号を出力する流量検出部と、前記流量検出部の前記流量信号に基づいて流量を算出する流量算出部と、前記流量算出部の前記流量を用いて前回あるいは前々回取得した前記流量の値と今回取得した前記流量とを比較し、変化があれば変化量を出力する増減算出部と、区分された流量帯毎に使用許可時間を定めた流量帯区分表と、前記変化量が増加量であれば新たなガス器具の使用を開始したとして前記変化量を追加して保持し、減少量であればガス器具の使用を停止したとして保持している中で一番近しい変化量を削除しながら複数の変化量を管理し、保持している前記複数の変化量の内の最大変化量と、前記流量帯区分表において前記最大変化量が属する流量帯の使用許可時間と、前記使用許可時間から所定時間を差し引いた予告時間とを出力する増減判定部と、前記使用許可時間を受け取ると使用時間の計時を開始し、前記使用時間が前記予告時間に至れば予告信号を出力し、さらに前記使用許可時間に至れば弁駆動信号を出力する計時部と、前記最大変化量を受け取ると前記流量算出部の流量を取得して基準値とし、前記基準値と定期的に出力される前記流量算出部の流量との差分を求め、前記差分が増加方向で、かつ前記差分と前記最大変化量との和が前記流量
帯の境界流量を跨いだ場合は、跨いだ後の流量帯に基づく使用許可時間から所定時間を差し引いた時間を予告時間に変更する流量帯変化判定部と、前記弁駆動信号を受け取ると閉栓信号を出力する弁駆動部と、前記閉栓信号を受け取るとガス通路を閉栓する弁と、前記予告信号を用いて警報報知する報知部とを備えたことを特徴とするもので、流量が徐々に増加して、最大流量の流量帯が大きい流量帯区分に変わったと判断された場合、本来の予告時間よりも早いタイミングで警報報知することが可能となり、ガスユーザのガスの使用を監視しているガス供給者が警報報知を受け取ることで適正にガスが使われているか否かを早いタイミングで判断することが可能となり、ガス使用の利便性と安全性を両立させることができる。
【００２１】
第２の発明は、ガス通路内を通過するガス流量に対応して定期的に流量信号を出力する流量検出部と、前記流量検出部の前記流量信号に基づいて流量を算出する流量算出部と、区分された流量帯毎に使用許可時間を定めた流量帯区分表と、前記流量算出部の前記流量を用いて前回あるいは前々回取得した前記流量の値と今回取得した前記流量とを比較し、変化があれば変化量を出力する増減算出部と、前記変化量が増加量であれば新たなガス器具の使用を開始したとして前記変化量を追加して保持し、減少量であればガス器具の使用を停止したとして保持している中で一番近しい変化量を削除しながら複数の変化量を管理し、保持している前記複数の変化量の内の最大変化量と、前記流量帯区分表において前記最大変化量が属する流量帯の使用許可時間と、前記使用許可時間から所定時間を差し引いた予告時間とを出力する増減判定部と、前記使用許可時間を受け取ると使用時間の計時を開始し、前記使用時間が前記予告時間に至れば予告信号を出力し、さらに前記使用許可時間に至れば弁駆動信号を出力する計時部と、前記最大変化量を受け取ると前記流量算出部の流量を取得して基準値とし、前記基準値と定期的に出力される前記流量算出部の流量との差分を求め、前記差分が減少方向で、かつ前記差分と前記最大変化量との和が前記流量帯の境界流量を跨いだ場合は、跨いだ後の流量帯に基づく使用許可時間を新たな使用許可時間に変更する流量帯変化判定部と、前記弁駆動信号を受け取ると閉栓信号を出力する弁駆動部と、前記閉栓信号を受け取るとガス通路を閉栓する弁と、前記予告信号を用いて警報報知する報知部とを備えたことを特徴とするもので、流量が徐々に減少して、最大流量の流量帯が小さい流量帯区分に変わったと判断された場合、本来の予告時間はそのままとし、使用許可時間は本来の使用許可時間よりも伸ばすことで、使用許可時間に対しては早いタイミングで警報報知することが可能となり、ガスユーザのガスの使用を監視しているガス供給者が警報報知を受け取ることで適正にガスが使われているか否かを早いタイミングで判断することが可能となり、ガス使用の利便性と安全性を両立させることができる。
【００２２】
第３の発明は、ガス通路内を通過するガス流量に対応して定期的に流量信号を出力する流量検出部と、前記流量検出部の前記流量信号に基づいて流量を算出する流量算出部と、前記流量算出部の前記流量を用いて前回あるいは前々回取得した前記流量の値と今回取得した前記流量とを比較し、変化があれば変化量を出力する増減算出部と、区分された流量帯毎に使用許可時間を定めた流量帯区分表と、前記変化量が増加量であれば新たなガス器具の使用を開始したとして前記変化量を追加して保持し、減少量であればガス器具の使用を停止したとして保持している中で一番近しい変化量を削除しながら複数の変化量を管理し、保持している前記複数の変化量の内の最大変化量と、前記流量帯区分表において前記最大変化量が属する流量帯の使用許可時間と、前記使用許可時間から所定時間を差し引いた予告時間とを出力する増減判定部と、前記使用許可時間を受け取ると使用時間の計時を開始し、前記使用時間が前記予告時間に至れば予告信号を出力し、さらに前記使用許可時間に至れば弁駆動信号を出力する計時部と、前記最大変化量を受け取ると前記流量算出部の流量を取得して基準値とし、前記基準値と定期的に出力される前記流量算出部の流量との差分を求め、前記差分が増加方向で、かつ前記差分と前記最大変化量との和が前記流量帯の境界流量を跨いだ場合は、跨いだ後の流量帯に基づく使用許可時間から所定時間を差し引いた時間を予告時間に変更し、前記差分が減少方向で、かつ前記差分と前記最大変化
量との和が前記流量帯の境界流量を跨いだ場合は、跨いだ後の流量帯に基づく使用許可時間を新たな使用許可時間に変更する流量帯変化判定部と、前記弁駆動信号を受け取ると閉栓信号を出力する弁駆動部と、前記閉栓信号を受け取るとガス通路を閉栓する弁と、前記予告信号を用いて警報報知する報知部とを備えたことを特徴とするもので、流量が徐々に増加して、最大流量の流量帯が大きい流量帯区分に変わったと判断された場合、本来の予告時間よりも早いタイミングで警報報知することが可能となり、また、流量が徐々に減少して、最大流量の流量帯が小さい流量帯区分に変わったと判断された場合、本来の予告時間はそのままとし、使用許可時間は本来の使用許可時間よりも伸ばすことで、使用許可時間に対しては早いタイミングで警報報知することが可能となるので、使用許可時間に対しては早いタイミングで警報報知することが可能となり、ガスユーザのガスの使用を監視しているガス供給者が警報報知を受け取ることで適正にガスが使われているか否かを早いタイミングで判断することが可能となり、ガス使用の利便性と安全性を両立させることができる。
【００２３】
第４の発明は、特に第１の発明において、最大変化量と差分の和が流量帯区分表の境界流量を跨いで流量帯区分が変更された後、再び跨ぐ前の流量帯区分に戻る場合には、判定した前記境界流量にヒステリシスを設けることでハンチングを防止するものである。
【００２４】
第５の発明は、特に第１〜４のいずれか１つの発明において、最大変化量と差分の和が流量帯区分表の境界流量を跨いだと判定した後、所定時間跨いだ後の流量帯であれば予告時間または使用許可時間を変更することを特徴とするもので、流量が安定していることを確認することで、予告時間や使用許可時間が不用意に変更されることを防止できる。
【００２５】
以下、本発明の実施の形態について、図面を参照しながら説明する。なお、この実施の形態によって本発明が限定されるものではない。
【００２６】
（実施の形態１）
図１は、本発明の実施の形態１におけるガス遮断装置の機能ブロック図を示すものである。
【００２７】
図１において、実施の形態１のガス遮断装置は流量検出部１１、流量算出部１２、増減算出部１３、増減判定部１４、計時部１５、弁駆動部１６、弁１７、報知部１８、流量帯変化判定部１９とから構成され、以下にその役割を記載する。
【００２８】
流量検出部１１は、ガス通路内を通過するガス流量に対応して定期的（例えば、１秒毎でも良いし、１分毎でもよい）に流量信号Ａ（例えば、ガス通路内に対向した超音波センサを取り付け超音波の伝播時間の違いからガス流量を検知してもよいし、ガス通路内にガスが流れる経路を作成しガスが経路を流れるときに発生する振動からガス流量を検知しても良いし、所定のガスが流れる毎に出力されるパルスを検出しても同様の効果が得られる）を出力する。
【００２９】
流量算出部１２は、流量検出部１１の流量信号Ａに基づいて流量Ｂ（例えば、予め保持している流量信号Ａに対する重み付けを持たせた係数を流量信号Ａに掛けて流量Ｂを算出してもよい。なお単独の流量信号Ａから流量Ｂを求めても良いし、複数の流量信号Ａから平均した流量Ｂを求めてもよい）を算出する。
【００３０】
増減算出部１３は流量算出部１２の流量Ｂを用いて前回あるいは前々回（例えば、前回または前々回のどちらかだけを今回取得した流量Ｂとの比較対照としてもよいし、前回と前々回の両方を今回取得した流量Ｂとの比較対照としてもよい）取得した流量Ｂの値と今回取得した流量Ｂとを比較し、変化がなければ何も実施しないで、変化があれば（例えば
、所定の差分値以上で判定しても良いし、変化率で判定しても同様の効果が得られる）変化量Ｃ（ガス器具流量）を出力する。
【００３１】
増減判定部１４は、増減算出部１３が出力した変化量Ｃが増加量であれば新たなガス器具の使用を開始したとして変化量Ｃを追加して保持し、減少量であればガス器具の使用を停止したとして保持している中で一番近しい（例えば、保持している変化量Ｃ毎に減少量を引き算し、その絶対値が一番小さなものを一番近しい変化量Ｃとしてもよい）変化量Ｃを削除しながら複数の変化量Ｃを管理し、その後、複数保持している変化量Ｃを大きなものから順番にならべ直し、ならべ直したあと保持している変化量Ｃの一番大きな最大変化量Ｉが属する流量帯（例えば、図３（ａ）の表から最大変化量Ｉが６００Ｌ／ｈの場合は流量帯はｎとなる）に基づく使用許可時間Ｄ（例えば、流量帯ｎの使用許可時間Ｄは６０分となる）を抽出して、使用許可時間Ｄから予め保持している所定時間（例えば、５分）を差し引いた予告時間Ｅ（例えば、流量帯ｎの使用許可時間Ｄの６０分から所定時間の５分を引くと５５分となる）を算出し、使用許可時間Ｄと予告時間Ｅと最大変化量Ｉを出力する。
【００３２】
計時部１５は、増減判定部１４の使用許可時間Ｄを受け取ると使用時間の計時を開始し、増減判定部１４から新たな使用許可時間Ｄを取得する前に、流量帯変化判定部１９の第２予告時間Ｋを受け取っていれば使用時間が第２予告時間Ｋに至れば予告信号Ｆ（例えば、第２予告時間Ｋが出力されたときに使用時間がすでに第２予告時間Ｋを越えたいた場合は第２予告時間Ｋが出力された時点で予告信号Ｆを出力してもよい）を出力し、流量帯変化判定部１９の第２予告時間Ｋを受け取っていなければ使用時間が増減判定部１４の予告時間Ｅに至れば予告信号Ｆを出力する。さらに流量帯変化判定部１９の第３使用許可時間Ｊを受け取っていれば使用時間が第３使用許可時間Ｊに至れば弁駆動信号Ｇを出力し、流量帯変化判定部１９の第３使用許可時間Ｊを受け取っていなければ使用時間が増減判定部１４の使用許可時間Ｄに至れば弁駆動信号Ｇを出力する。
【００３３】
弁駆動部１６は、計時部１５の弁駆動信号Ｇを受け取ると閉栓信号Ｈを出力する。弁１７は、弁駆動部１６の閉栓信号Ｈを受け取るとガス通路を閉栓する。
【００３４】
報知部１８は、計時部１５の予告信号Ｆを用いて警報報知（例えば、ＬＣＤやＬＥＤに表示することでガスを使用しているガスユーザがその表示をみてガス供給者に電話等で連絡してくるようにしてもよいし、有線や無線の公共の通信回線を介して通信するようにしてもよいし、インターネット等による通信でガス供給者に通報しても同様の効果が得られる）する。
【００３５】
流量帯変化判定部１９は、増減判定部１４の最大変化量Ｉを受け取ると流量算出部１２の流量Ｂを取得して基準値とし、増減判定部１４から新たな最大変化量Ｉを受け取るまで（即ち、次にガス器具の点火や消火、あるいはガス器具流量の調整が行われて流量変化有となるまではガスが安定して使用されているとみなすため、最大変化量Ｉは変わらない）基準値と定期的に出力される流量算出部１２の流量Ｂとの差分を求め、差分（例えば、流量変化有とならずに徐々に変化した量が２００Ｌ／ｈ場合）が増加方向で差分と最大変化量Ｉとの和（例えば、最大変化量Ｉが６００Ｌ／ｈで差分が２００Ｌ／ｈの場合は８００Ｌ／ｈとなる）が流量帯を跨ぐ場合（例えば、図３（ｂ）の場合）は、跨いだあとの流量帯に基づく第２使用許可時間（例えば、図３（ａ）より最大変化量Ｉが６００Ｌ／ｈでは流量帯はｎで、差分が２００Ｌ／ｈの場合は最大変化量Ｉと差分の和は８００Ｌ／ｈとなり流量帯はｎ＋１となる。従って第２使用許可時間は４０分となる）を抽出して、第２使用許可時間から予め保持している所定時間（例えば、５分）を差し引いた第２予告時間Ｋ（例えば、流量帯ｎ＋１の４０分から所定時間の５分を引くと３５分となる）を算出して出力し、差分（例えば、流量変化有とならずに徐々に変化した量が−２０１Ｌ／ｈ場合）
が減少方向で差分と最大変化量Ｉとの和（例えば、最大変化量Ｉが６００Ｌ／ｈで差分が−２０１Ｌ／ｈの場合は３９９Ｌ／ｈとなる）が流量帯を跨ぐ場合（例えば、図３（ｃ）の場合）は、跨いだあとの流量帯に基づく第３使用許可時間Ｊ（例えば、図３（ａ）より最大変化量Ｉが６００Ｌ／ｈでは流量帯はｎで、差分が−２０１Ｌ／ｈの場合は最大変化量Ｉと差分の和は３９９Ｌ／ｈとなり流量帯はｎ−１となる。従って第３使用許可時間Ｊは８０分となる）を抽出して出力する。
【００３６】
以上のように、本実施の形態においては、流量帯変化判定部１９が最大変化量Ｉに流量Ｂと基準値との差分を加味して流量帯を跨ぐか否かを判定することで、第２予告時間Ｋ（例えば、上記例より３５分）または第３使用許可時間Ｊ（例えば、上記例より８０分）の抽出が可能となる。これにより第２予告時間Ｋよる本来の予告時間Ｅ（例えば、上記例より時間帯ｎの使用許可時間Ｄは６０分で６０分から所定時間の５分を引いた５５分）よりも早いタイミングで警報報知することが可能となり、あるいは本来の第３使用許可時間Ｊに基づく第３予告時間（例えば、上記例より８０分から所定時間の５分を引いた７５分）ではなく予告時間Ｅのままにすることで第３予告時間に比べ早いタイミング（最大変化量Ｉが登録あるいはならべ直された時点から、従来例では自動的に変更するので７５分経過時点となるが、本発明では５５分のままとなる）で警報報知することが可能となる。
【００３７】
従って、ガスユーザのガスの使用を監視しているガス供給者が警報報知を受け取ることで適正にガスが使われているか否かを早いタイミングで判断することが可能となり、ガス使用の利便性と安全性を両立させることができる。
【００３８】
次に、図２に示すプログラムフロー図を用いて動作を説明する。
【００３９】
流量検出部１１において処理Ｓ０１は、ガスユーザのガスの使用に対応した流量信号Ａ（例えば、ガス通路内に対向した超音波センサを取り付け超音波の伝播時間の違いからガス流量を検知してもよいし、ガス通路内にガスが流れる経路を作成しガスが経路を流れるときに発生する振動からガス流量を検知しても良いし、所定のガスが流れる毎に出力されるパルスを検出しても同様の効果が得られる）を出力（例えば、１秒毎でも良いし、１分毎でもよい）して処理Ｓ０２に移行する。
【００４０】
流量算出部１２において処理Ｓ０２は、流量信号Ａから流量Ｂ（例えば、予め保持している流量信号Ａに対する重み付けを持たせた係数を流量信号Ａに掛けて流量Ｂを算出してもよい。なお単独の流量信号Ａから流量Ｂを求めても良いし、複数の流量信号Ａから平均した流量Ｂを求めてもよい）を求め処理Ｓ０３に移行する。
【００４１】
増減算出部１３において処理Ｓ０３は増減流量（前回あるいは前々回取得した流量Ｂの値と今回取得した流量Ｂ）を算出して処理Ｓ０４へ移行する。処理Ｓ０４は増減流量に基づき変化の有無（例えば、所定の差分値以上で判定しても良いし、変化率で判定しても同様の効果が得られる）を判定し、変化があれば増減流量を変化量Ｃとして処理Ｓ０５へ移行し、変化がなければ処理Ｓ１０へ移行する。
【００４２】
増減判定部１４において処理Ｓ０５は変化量Ｃが増加量なのか減少量なのかを判定し、増加量であれば処理Ｓ０６へ移行し、減少量であれば処理Ｓ０７へ移行する。
【００４３】
処理Ｓ０６は変化量Ｃを登録しながら複数の変化量Ｃを管理し、保持している複数の変化量Ｃを大きいものから順番にならべ直し、ならべ直したあと保持している複数の変化量Ｃの中から一番大きな変化量Ｃを最大変化量Ｉとし、最大変化量Ｉが属する流量帯に基づく使用許可時間Ｄ（例えば、図３（ａ）の表から最大変化量Ｉが６００Ｌ／ｈの場合は流量帯はｎとなり、流量帯ｎの使用許可時間Ｄは６０分となる）と予告時間Ｅ（例えば、時
間帯ｎの使用許可時間Ｄは６０分で６０分から所定時間の５分を引いた５５分）を算出して処理Ｓ０８へ移行する。
【００４４】
処理Ｓ０７は複数保持している中で一番近しい（例えば、保持している変化量Ｃ毎に減少量を引き算し、その絶対値が一番小さなものを一番近しい変化量Ｃとしてもよい）変化量Ｃを削除しながら複数の変化量Ｃを管理し、その後、保持している複数の変化量Ｃを大きなものから順番にならべ直し、ならべ直したあと保持している複数の変化量Ｃの中から一番大きな変化量Ｃを最大変化量Ｉとし、最大変化量Ｉが属する流量帯（例えば最大変化量Ｉが６００Ｌ／ｈの場合は流量帯はｎとなる）に基づく使用許可時間Ｄ（例えば、流量帯ｎの使用許可時間Ｄは６０分となる）を抽出して、使用許可時間Ｄから予め保持している所定時間（例えば、５分）を差し引いた予告時間Ｅ（例えば、流量帯ｎの使用許可時間Ｄの６０分から所定時間の５分を引くと５５分となる）を算出して処理Ｓ０８へ移行する。
【００４５】
流量帯変化判定部１９において処理Ｓ０８は流量Ｂを基準値として保持して処理Ｓ０９へ移行する。処理Ｓ０９は使用許可時間Ｄに至るまでの経過時間のカウントを行う経過タイマをクリアして処理Ｓ０１へ移行する。
【００４６】
処理Ｓ１０は定期的に取得した流量Ｂと基準値との差分を算出して処理Ｓ１１へ移行する。
【００４７】
処理Ｓ１１は、流量Ｂと基準値との差分と最大変化量Ｉの和が流量帯を跨るか否か（例えば、図３（ａ）に示す表の境界を越えた場合）を判定し、流量帯を跨れば処理Ｓ１２へ移行し、流量帯を跨らなければ処理Ｓ１５へ移行する。
【００４８】
処理Ｓ１２は流量Ｂと基準値との差分が増加方向か減少方向かを判定し、増加方向であれば処理Ｓ１３へ移行し、減少方向であれば処理Ｓ１４へ移行する。
【００４９】
処理Ｓ１３は流量Ｂと基準値との差分と最大変化量Ｉとの和（例えば、最大変化量Ｉが６００Ｌ／ｈで差分が２００Ｌ／ｈの場合は８００Ｌ／ｈとなる）が流量帯を跨ぐ場合（例えば、図３（ｂ）の場合）は、跨いだあとの流量帯に基づく第２使用許可時間（例えば、図３（ａ）より最大変化量Ｉが６００Ｌ／ｈでは流量帯はｎで、差分が２００Ｌ／ｈの場合は最大変化量Ｉと差分の和は８００Ｌ／ｈとなり流量帯はｎ＋１となる。従って第２使用許可時間は４０分となる）を抽出して、第２使用許可時間から予め保持している所定時間（例えば、５分）を差し引いた第２予告時間Ｋ（例えば、流量帯ｎ＋１の４０分から所定時間の５分を引くと３５分となる）を算出して処理Ｓ１５へ移行する。
【００５０】
処理Ｓ１４は流量Ｂと基準値との差分と最大変化量Ｉとの和（例えば、最大変化量Ｉが６００Ｌ／ｈで差分が−２０１Ｌ／ｈの場合は３９９Ｌ／ｈとなる）が流量帯を跨ぐ場合（例えば、図３（ｃ）の場合）は、跨いだあとの流量帯に基づく第３使用許可時間Ｊ（例えば、図３（ａ）より最大変化量Ｉが６００Ｌ／ｈでは流量帯はｎで、差分が−２０１Ｌ／ｈの場合は最大変化量Ｉと差分の和は３９９Ｌ／ｈとなり流量帯はｎ−１となる。従って第３使用許可時間Ｊは８０分となる）を抽出して処理Ｓ１５へ移行する。
【００５１】
計時部１５において処理Ｓ１５は経過タイマを計時して処理Ｓ１６へ移行する。
【００５２】
処理Ｓ１６は第２予告時間Ｋがあれば経過タイマと第２予告時間Ｋが一致したかを判定し一致した場合（例えば、第２予告時間Ｋが出力されたときに経過タイマがすでに第２予告時間Ｋを越えたいた場合は第２予告時間Ｋが出力された時点で処理Ｓ１７へ移行してもよい）に処理Ｓ１７に移行し、あるいは第２予告時間Ｋがなければ経過タイマと予告時間
Ｅが一致したかを判定し一致した場合に処理Ｓ１７に移行し、予告時間Ｅまたは第２予告時間Ｋと一致しなければ処理Ｓ１８へ移行する。
【００５３】
報知部１８において処理Ｓ１７は警報報知（例えば、ＬＣＤやＬＥＤに表示することでガスを使用しているガスユーザがその表示をみてガス供給者に電話等で連絡してくるようにしてもよいし、有線や無線の公共の通信回線を介して通信するようにしてもよいし、インターネット等による通信でガス供給者に通報しても同様の効果が得られる）して処理Ｓ０１へ移行する。
【００５４】
計時部１５において処理Ｓ１８は第３使用許可時間Ｊがあれば経過タイマと第３使用許可時間Ｊが一致したかを判定し一致した場合に処理Ｓ１９へ移行し、あるいは第３使用許可時間Ｊがなければ使用許可時間Ｄが一致したかを判定し一致した場合に処理Ｓ１９へ移行し、使用許可時間Ｄまたは第３使用許可時間Ｊと一致しなければ処理Ｓ０１へ移行する。
【００５５】
弁駆動部１６において処理Ｓ１９は弁１７を使用してガス通路を閉栓して処理を停止する。（なお、ガス通路を開栓した場合は再び処理Ｓ０１から処理を実施するものとする）
また、流量帯変化判定部１９は最大変化量Ｉに流量Ｂと基準値との差分を加味して流量帯（例えば流量帯ｎ→流量帯ｎ−１）を跨いだと判定したあと、差分を加味した最大変化量Ｉが再び跨ぐ前の流量帯（例えば、（流量帯ｎ→）流量帯ｎ−１→流量帯ｎ）に戻る場合に、跨ぐ前の流量帯側の判定にヒステリシス（図３（ｄ）に示すように、流量帯遷移点の右側で一旦流量帯ｎ−１になったあと再び流量帯ｎになるような場合、流量帯の遷移を頻繁に繰り返すこととなるため、例えば、流量帯ｎに１０Ｌ／ｈのヒステリシスＨを持たせる）を設けている。
【００５６】
従って、流量帯が頻繁に入れ替わる所謂ハンチングを防止することができる。
【００５７】
さらに、流量帯変化判定部１９は、最大変化量Ｉに流量Ｂと基準値との差分を加味して流量帯（例えば流量帯ｎ→流量帯ｎ−１）を跨いだと判定したあと、差分を加味した最大変化量Ｉが再び跨ぐ前の流量帯（例えば、（流量帯ｎ→）流量帯ｎ−１→流量帯ｎ）に戻らないことを第２の所定期間Ｔ（例えば、１分間）まで監視することで、第２予告時間または第３使用許可時間の出力を遅延するようにしている。
【００５８】
従って、流量帯変化判定部１９で図３（ｄ）に示すような流量Ｂの揺らぎがないことを第２の所定期間Ｔの間監視して、その後第２予告時間または第３使用許可時間に置き換えることで流量Ｂの安定度を加味することができる。
【００５９】
この処理は、図２のプログラムフロー図において、処理Ｓ１１内で第２の所定期間Ｔ（例えば１分）を判定し、第２の所定期間に達すれば処理Ｓ１２へ移行し、第２の所定期間に達していなければ処理Ｓ１５へ移行するようにしている。
【００６０】
以上の様に、最大変化量Ｉに基準値と流量Ｂとの差分を加味して流量帯を跨ぐか否かを判定し、跨いだ場合には第２予告時間または第３使用許可時間による監視をガス供給者が行うことで安全性を担保すると同時にガス遮断装置の利便性を損なわないようにすることができる。
【００６１】
なお、本実施の形態において、最大流量と差分との和が、増加する場合と減少する場合を合わせて説明したが、増加する場合のみ、或いは減少する場合のみでも、本発明の目的とする早期に警告を発することが出来ることは言うまでもない。
【産業上の利用可能性】
【００６２】
以上のように、本発明にかかるガス遮断装置は流量変化有とならない徐々に変化する流量を監視し、使用許可時間や予告時間を補正し早いタイミングで供給者に報知することができるので、ガスを電気や水等に置き換えれば、電気メータや水道メータ等の用途にも適用できる。
【符号の説明】
【００６３】
１１  流量検出部
１２  流量算出部
１３  増減算出部
１４  増減判定部
１５  計時部
１６  弁駆動部
１７  弁
１８  報知部
１９  流量帯変化判定部
【図１】
0005493610.tif 000002
【図２】
0005493610.tif 000003
【図４】
0005493610.tif 000004
【図５】
0005493610.tif 000005
【図６】
0005493610.tif 000006
【図７】
0005493610.tif 000007
【図３】
0005493610.tif 000008